(57)【要約】      （修正有）【課題】楊枝と割り箸の両方の用途を兼ね備える楊枝兼用割り箸を提供する。【解決手段】楊枝兼用割り箸１は、先端部１０から長手方向にスリット５０を形成し、後端部３０が切り離し容易に接続される。先端部１０が尖状に形成された尖状部１１ａを有する第１箸部１１と、先端部１０が柱状に形成された柱状部１２ｂを有する第２箸部１２とからなる。楊枝兼用割り箸１は、木製であることが好ましい。【選択図】図１
0003169593.tif 000002
【実用新案登録請求の範囲】
【請求項１】
先端部から長手方向にスリットを形成し、後端部が切り離し容易に接続された一対の楊枝兼用割り箸であって、
前記先端部が尖状に形成された尖状部を有する第１箸部と、前記先端部が柱状に形成された柱状部を有する第２箸部とからなる楊枝兼用割り箸。
【請求項２】
木製である請求項１に記載の楊枝兼用割り箸。
【請求項３】
前記楊枝兼用割り箸は、先端部がいずれも柱状に形成されている一対の割り箸素材のスリットを押し広げる第１工程と、一方の該割り箸素材の該先端部を尖状に形状加工する第２工程と、該スリットを付勢力により閉じる第３工程とから製造される請求項１又は２に記載の楊枝兼用割り箸。
【請求項４】
前記第２工程は、円錐穴に装着された刃部を備える切削具の該円錐穴に前記割り箸素材を挿入して切削する請求項３に記載の楊枝兼用割り箸。
【考案の詳細な説明】
【技術分野】
【０００１】
本考案は、楊枝兼用割り箸に関する。更に詳しくは、本考案は、楊枝と割り箸の両方の用途を兼ね備える楊枝兼用割り箸に関する。
【背景技術】
【０００２】
従来、割り箸は、先端部から長手方向にスリットを形成し、後端部が切り離し容易に接続され、先端部が柱状に形成された１対の箸部からなる。
食事の際には、割り箸のみでなく、箸では挟みにくい食材を突き刺したり、食事後の歯の清掃のため楊枝が必要な場合もある。
近年、箸袋に、割り箸のみでなく、楊枝も付属品として入っているものが多い。しかし、楊枝と割箸が入った袋を開ける際、楊枝に気付かず楊枝の先端で手指を怪我することもある。
ここで、割箸の一部に楊枝一体保持部を設けた楊枝を一体に保持する割り箸が提案されている（例えば、特許文献１参照。）。
この割り箸は、割り箸の端部に筒状穴を貫設し、この中に楊枝を挿入、保持するように構成されている。
この割り箸は楊枝を割り箸の内部に一体として保持しているため、袋を開ける際に、楊枝が割り箸と分離することがない。そのため、楊枝が袋を突き破って手指を怪我する危険がない。又、箸袋が無くても割り箸と楊枝を一体として保持することができる。
【先行技術文献】
【特許文献】
【０００３】
【特許文献１】特開２００７−２１１６２号公報
【考案の概要】
【考案が解決しようとする課題】
【０００４】
しかし、この割り箸は、楊枝を一体に保持するものの、使用に際しては割り箸と楊枝を分離して別体として使用するものである。また、製造に際しては、割り箸と楊枝をそれぞれ別個に製造する必要がある。
本考案は、上記の従来の問題を解決するものであり、楊枝と割り箸の両方の用途を兼ね備える楊枝兼用割り箸を提供することを目的とする。
【課題を解決するための手段】
【０００５】
本考案は、以下の通りである。
１．先端部から長手方向にスリットを形成し、後端部が切り離し容易に接続された一対の楊枝兼用割り箸であって、
前記先端部が尖状に形成された尖状部を有する第１箸部と、前記先端部が柱状に形成された柱状部を有する第２箸部とからなる楊枝兼用割り箸。
２．木製である１．に記載の楊枝兼用割り箸。
３．前記楊枝兼用割り箸は、先端部がいずれも柱状に形成されている一対の割り箸素材のスリットを押し広げる第１工程と、一方の該割り箸素材の該先端部を尖状に形状加工する第２工程と、該スリットを付勢力により閉じる第３工程とから製造される１．又は２．に記載の楊枝兼用割り箸。
４．前記第２工程は、円錐穴に装着された刃部を備える切削具の該円錐穴に前記割り箸素材を挿入して切削する３．に記載の楊枝兼用割り箸。
【考案の効果】
【０００６】
本考案の楊枝兼用割り箸は、先端部から長手方向にスリットを形成し、後端部が切り離し容易に接続された一対の楊枝兼用割り箸であって、前記先端部が尖状に形成された尖状部を有する第１箸部と、前記先端部が柱状に形成された柱状部を有する第２箸部とからなるため、楊枝と割り箸の両方の用途を兼ね備えることができる。
２．楊枝兼用割り箸が木製である場合には、加工性に優れるとともに、低コストに製造することができる。
３．楊枝兼用割り箸は、先端部がいずれも柱状に形成されている一対の割り箸素材の前記スリットを押し広げる第１工程と、一方の割り箸素材の先端部を尖状に形状加工する第２工程と、スリットを付勢力により閉じる第３工程とから製造される場合には、効率よく製造することができる。
４．前記第２工程が、円錐穴に装着された刃部を備える切削具の該円錐穴に割り箸素材を挿入して切削する場合には、更に効率よく製造することができる。
【図面の簡単な説明】
【０００７】
【図１】本考案の楊枝兼用割り箸の斜視図である。
【図２】本考案の楊枝兼用割り箸の製造工程の例であり（ａ）は、割り箸素材のスリットを押し広げた状態、（ｂ）は、切削具に割り箸素材を挿入する状態、（ｂ）は、切削具に割り箸素材を挿入して切削する状態、（ｃ）は切削具から製造した楊枝兼用割り箸を取り出した状態を示す。
【考案を実施するための形態】
【０００８】
以下、本考案の実施形態を示す図１及び図２を参照しながら本考案を詳しく説明する。
尚、本考案は、かかる図に記載された具体例に示すものに限られず、目的、用途に応じて種々変更したものとすることができる。
実施形態に係る楊枝兼用割り箸１は、本考案を具体化している。
楊枝兼用割り箸１は、図１に示すように、先端部１０から長手方向にスリット５０を形成し、後端部３０が切り離し容易に接続された一対の楊枝兼用割り箸１であって、先端部１０が尖状に形成された尖状部１１ａを有する第１箸部１１と、先端部１０が柱状に形成された柱状部１２ａを有する第２箸部１２とからなる。
【０００９】
楊枝兼用割り箸１は、後端部３０で切り離すことにより、先端部が尖状に形成された尖状部１１ａを有する第１箸部１１と先端部が柱状に形成された柱状部１２ａを有する第２箸部１２とに分かれる。
第１箸部１１と第２箸部を一対の箸として用いれば、通常の箸として使用できる。また、第１箸部単独で用いれば、食材を突き刺したり、食事後の歯の清掃に用いることができる。このように、楊枝兼用割り箸１は、楊枝と割り箸の両方の用途を兼ね備えることができる。
【００１０】
第１箸部１１の尖状部１１ａが尖状で突き刺しやすいが、第２箸部材１２の柱状部１２ａは、端面１２ｂが平面状となるため、後端部３０が接続され分離前であれば、先端部１０全体としては、安全性が保たれる。
【００１１】
楊枝兼用割り箸は、木製であることが好ましい。
木製であれば、加工性に優れ、また、間伐材を有効利用することもできる。
【００１２】
（製造方法）
楊枝兼用割り箸１は例えば、以下の第１工程〜第３工程により製造することができる。
（１）第１工程
図２（ａ）に示すように、先端部がいずれも柱状に形成されている一対の割り箸素材２のスリット５０を押し広げる。
（２）第２工程
一方の割り箸素材の第１箸部素材２１の先端を尖状に形状加工する。
尖状に形成することができれば、特に限定はなく、小刀による手作業で加工してもよく、電動式に切削する方法でもよい。
例えば、図２（ｂ）、（ｃ）に示すように、円錐穴６５に装着された刃部６１を備える切削具６０の円錐穴６５に第１箸部素材２１を挿入し、切削具６０又は割り箸素材２を回転させることにより、先端部２１を尖状に形状加工することができる。次いで、図２（ｄ）に示すように、切削具６０の円錐穴６５から抜き出せば、尖状部１１ａが形成された楊枝兼用割り箸１が得られる。
（３）第３工程
取り出した楊枝兼用割り箸１のスリットを付勢力により閉じる。第２工程までは、割り箸素材２を押し広げているため、その押し広げる力を戻せば、付勢力によりスリットを閉じることができる。
【産業上の利用可能性】
【００１３】
本考案に係る楊枝兼用割り箸は、割り箸の技術分野において利用可能である。
【符号の説明】
【００１４】
１      楊枝兼用割り箸
２      割り箸素材
１０    先端部
１１    第１箸部
１１ａ  尖状部
１２    第２箸部
１２ａ  柱状部
１２ｂ  端面
２１    第１箸部素材
３０    後端部
５０    スリット
６０    切削具
６１    刃部
６５    円錐穴
【図１】
0003169593.tif 000003
【図２】
0003169593.tif 000004